(57)【要約】【課題】  指を引っ掛けて持ち易くした紙扇子の折畳み固定構造を提供する。【解決手段】  扇ぎ葉の中央を中室とし、該中室は天広がりの略扇形状を成し、該中室の下部略中央に指穴を有し、該中室の左右両側へ畳み線を介して外室が延設されており、一方の畳み線を介して一方の外室が延設されており、他方の畳み線を他方の外室が延設されており、該畳み線によって扇ぎ葉は略扇形状に三つ折りで折り畳まれた構造を成しており、前記の折り畳まれた状態を固定する構造として、外縁から入れられた切込どうしの組み込みで固定される構造にし、外室に入れた切溝に対岸の外縁の部分領域である差込縁を差し込んで固定する構造にして設ける。【選択図】  図１
2017200512.tif 000002
【特許請求の範囲】
【請求項１】
扇ぎ葉の中央を中室とし、該中室は天広がりの略扇形状を成し、該中室の下部略中央に指穴を有し、該中室から一方の畳み線を介して一方の外室が延設されており、該中室から他方の畳み線を介して他方の外室が延設されており、該畳み線によって扇ぎ葉は略扇形状に三つ折りで折り畳まれた構造を成しており、前記の折り畳まれた状態を固定する箇所を設けたことを特徴とする紙扇子折畳み固定構造。
【請求項２】
折り畳まれた状態を固定する箇所として、外縁の各々から切込を入れ、畳み線によって同方向へ折り返される各々の外室の切込どうしが組込み合って、折り返された外室どうしが固定されるので、三つ折りで折り畳まれた状態が固定されることを特徴とする請求項１記載の紙扇子折畳み固定構造。
【請求項３】
各々の外室の外縁から切り込まれた切込を境にして、上部を上外縁とし、下部を下外縁とし、一方と他方のどちらかの上外縁を突出させ、一方と他方のどちらかの下外縁を前記突出させた上外縁と反対側の下外縁を突出させたことを特徴とする請求項１または請求項２記載の紙扇子折畳み固定構造。
【請求項４】
外室に切溝を入れ、該切溝を有する該外室を先に折り返し、後から折り返されて重なり合った外室の外縁の部分的領域である差込縁を該切溝に差し込んで折り畳まれた状態が固定されることを特徴とする請求項１から請求項３のいずれか１項に記載の紙扇子折畳み固定構造。
【請求項５】
中室に切溝を入れ、畳み線の折り返しによって該中室に重ねられた外室の差込縁を該切溝に差し込んで折り畳まれた状態が固定されることを特徴とする請求項１から請求項４のいずれか１項に記載の紙扇子折畳み固定構造。
【発明の詳細な説明】
【技術分野】
【０００１】
本発明は、紙扇子の折畳み固定構造に関する物である。
【背景技術】
【０００２】
従来の紙扇子折畳み固定構造は、略扇形状の扇ぎ葉の中央へ縦長の略扇形状の中央室を設け、該中央室の下部に要溝を切込み、該要溝へ別個の柄の要片を差し込んで連結し、中央室の両側へ折線を介して延設された側室どうしを同じ方向（正面）へ折り返し、該側室の他方に畳入溝を切込み、該一方の側室の外角を該畳入溝に差し込んで、該側室どうしが重なった状態で扇ぎ葉の折畳み状態を固定する構造の物であった。紙製のウチワでは、円形の下部に円形の指穴の開けられたウチワ（穴あきウチワ）があった。
【先行技術文献】
【特許文献】
【０００３】
【特許文献１】特開平１１−３１８５３１号
【発明の概要】
【発明が解決しようとする課題】
【０００４】
従来の技術は、使用時には扇ぎ葉に柄を取り付け、折畳み時には柄を取り外すという具合に、要溝へ要片を抜き差しする作業が必要であり、使用に手間の掛かる問題点があった。円形の穴あきウチワでは折り畳むことができない構造であり、無理に折り畳んでも折畳み状態を固定できないという問題点があった。本発明では、前記のような問題の解決を課題にする。
【課題を解決するための手段】
【０００５】
扇ぎ葉の中央に縦長の天広がり略扇形状の中室を設け、該中室の下部中央に指穴を設け、該中室の両側の各々の辺から畳み線を介して外室が延設されており、該中室から一方の畳み線を介して一方の外室が延設されており、該中室から他方の畳み線を介して他方の外室が延設されている。両側双方の外室を折り返して中室に重ねることで扇ぎ葉は折畳み状態になり、該折畳み状態を固定するために、各々の外室に外縁からの切込を入れ、該切込どうしを折畳み状態で組込み合わせることで、該折畳み状態の固定をする。切溝を入れた外室の上から別の外室を折り重ね、後から折り重ねられた外室の外縁で該切溝の範囲内にある領域を差込縁として設ける。
【発明の効果】
【０００６】
中室の下部に指穴を設けたことで、該指穴に指を掛けることができるので、持ち易く扇ぎ易くなり、畳み線を設けたことで、外室を折り返して中室に折り重ねられるので、折り畳みが可能になり、コンパクトな状態で携帯できる。中室が縦長の天広がり略扇形状であることから、該中室の下部幅は適宜に狭くなっており、適宜に狭くなった中室の下部から食み出した指が隣の外室の下部も同時に挟み込めるので、扇ぎ使用時に畳み線が屈折するのを防止できる。外縁からの切込どうしを組込むことで一方と他方の外室どうしが重なった状態を固定できる。背面に重なった外室の切溝に正面に重なった外室の差込縁を差し込むことで外室どうしが重なった状態を固定できる。
【図面の簡単な説明】
【０００７】
【図１】開き状態の正面図である。（実施例１）
【図２】折畳み固定状態の要部透視正面斜視図である。
【図３】開き状態の正面図である。（実施例２）
【図４】折畳み固定状態の要部透視正面斜視図である。
【図５】開き状態の正面図である。（実施例３）
【図６】折畳み固定状態の要部透視正面斜視図である。
【発明を実施するための形態】
【０００８】
扇ぎ葉自体に指を引っ掛ける箇所を設けて、折り畳んで固定できる紙扇子の折畳み固定構造を実現した。
【実施例１】
【０００９】
図１は開き状態の正面図である。折線は一点鎖線で示し、縁及び切線は一本の実線で示し、引き出し（指示）線は細い曲線で示す。山折と谷折で表示する折り曲げ方向は開き状態での正面方向からを基準にする。左右方向を横とし、天地方向を縦とし、正面背面方向を前後とする。符号は数字で表示するが、同じ符号が複数ある場合は符号の後ろに一方をａ、他方をｂとする補助符号を表示することにし、該補助符号を表示しない場合は一方と他方の総称（双方を指示）とし、一方と他方の位置関係は限定ではないが、開き状態図の図面上での左を一方とし右を他方とする。本発明を形成する素材は限定ではなく、プラスチックであっても良いが、適宜に腰のある厚紙であることが望ましく、前記厚紙の硬さは楽に折り曲げられて適宜に湾曲して扇ぎ使用に耐えられる硬さであれば良く、具体的に述べるならば、官製ハガキよりも二倍以上硬ければ目的を果たせる。
【００１０】
実施例１を切込固定型とする。本体１の全体は扇ぎ葉２で形成されており、該扇ぎ葉２の形状は限定ではないが下部縁が適宜に狭くなった略扇形状であることが望ましく、下縁は適宜に丸い形状であることが持ち易くなるので、望ましい。
【００１１】
扇ぎ葉２の中央を中室３とし、該中室３は天地に貫く縦長の略扇形状を成し、該中室３の下部の略中央に指穴４を形成しており、該指穴４の形状は限定ではないが、円形であることが望ましい。
【００１２】
中室３の左右両側の辺を畳み線５とし、該畳み線５の各々を介して外室６が延設されている。該延設の位置関係を具体的に述べるならば、該中室３の左側から一方の畳み線５ａを介して一方の外室６ａを延設しており、該中室３の右側から他方の畳み線５ｂを介して他方の外室６ｂを延設している。
【００１３】
外室６と接している切縁領域を外縁７とし、該外縁７の略中央から切込８を入れる。該切込８は二本の平行線で図示しているが、切り離されていることを明瞭に表示するためであって、実際には一本の切込線である。該切込８の長さは図２で後期するが、中室３の中心線までの長さにすることが望ましい。
【００１４】
外縁７は切込８から上の領域を上外縁９とし、該切込８から下の領域を下外縁１０とする。該切込８の切込口の角は角ばっていても良いが適宜に丸くすることが望ましい。該上外縁９と該下外縁１０とは同一線上に位置しても良いが、上下間でどちらかを突出させて段差を形成することが望ましく、前記上下間の段差は一方と他方で互いに上下を逆にすることが望ましい。前記上下間の段差を形成する別の方法として、図示していないが切込８と略直角方向へ折線を入れて、該略直角折線の屈折によって段差を生じさせる構造であっても良い。
【００１５】
切込８の位置関係を具体的に述べるならば、左側である一方の外縁７ａの略中央に一方の切込８ａを入れ、右側である他方の外縁７ｂの略中央に他方の切込８ｂを入れる。上下で隣り合う上外縁９と下外縁１０のどちらかを突出させることが望ましいが、どちらを突出させるかは限定ではないが、具体的に述べるならば、一方の外縁７ａでは一方の下外縁１０ａを突出させ、他方の外縁７ｂでは他方の上外縁９ｂを突出させることが望ましい。
【００１６】
畳み線５の双方は谷折されることで本体１が折り畳まれることが望ましい。中室３は上部が広くなった縦長の略扇形であることから、該中室３と重なり合って折り畳まれる外室６も上部が適宜に広くなっている。本体１の折畳み時に重なり合った対岸の外縁７の部分領域を差し込んで固定する切溝１１は、外室６の上部領域であることが望ましい。
【００１７】
他方の上外縁９ｂが突出していることから、本体１を折り畳む過程で一方の上外縁９ａが背方に折り畳まれることが自然の成り行きになるので、背面重なりとなる一方の外室６ａの上部に切溝１１を入れ、該切溝１１に差し込まれる他方の外縁７ｂの上部領域の一部を差込縁１２とする。
【００１８】
図２は折畳み固定状態の要部透視正面斜視図である。透視箇所は破線で表示しており、二枚透視まで表示するのであるが、二枚透視の場合は破線の間隔を広くして細い線にすることで一枚透視と区別できるようにしている。
【００１９】
双方の畳み線５を同時に同じ角度で谷折することで双方の外室６が正面へ折り返される。一方の上外縁９ａよりも他方の上外縁９ｂが突出しているので、外室６の折り返し時には、該他方の上外縁９ｂが正面に重なる可能性が確実に高くなる。上外縁９とは逆に下外縁１０では一方の下外縁１０ａが他方の下外縁１０ｂよりも突出しているので、該外室６の折り返し時には、該他方の下外縁１０ｂが背面に重なる可能性が確実に高くなる。
【００２０】
上記のように、上外縁９と下外縁１０の左右での突出が上下で逆の外縁が突出しているので、一方の切込８ａと他方の切込８ｂとが互いに組込まれた状態になって外室６どうしの正面折り返し状態が固定されて、本体１の折畳み状態が固定される。
【００２１】
切込８の長さは限定ではないが、該切込８どうしの組込み合った端部が中室３の中心線上に位置する長さにすることが望ましく、該中室３の中心線は垂直であることが望ましく、該中室３の該垂直な中心線と略直角な水平線上に組込みあった切込８が位置することが望ましい。
【００２２】
切込８どうしの組み込みだけでも本体１の折畳み状態の固定は問題ないが、他方の上外縁９ｂの先端が若干浮き上がっており、該他方の上外縁９ｂの先端領域である差込縁１２を切溝１１に差し込むことで、該他方の上外縁９ｂの浮き上がりを防止できる箇所として設けることが望ましい。
【実施例２】
【００２３】
図３は開き状態の正面図である。実施例１では左右両端から切込８を設ける必要があることから外縁７を滑らかな曲線にすることが困難であり、該切込８を介する上下で段差を設ける形状なので、扇ぎ葉２を左右対称にすることができない構造であった。実施例２では、望ましい形状である左右対称の扇ぎ葉２２の折畳み固定構造を述べることにする。
【００２４】
実施例２は外室切溝型とする。全体形状である扇ぎ葉が実施例ごとに変わったので、後ろに付ける符号を変えることにし、実施例２では扇ぎ葉２２とし、該扇ぎ葉２２に付けられた部所を含めた全体を本体２１とする。
【００２５】
扇ぎ葉２２は自由にデザインした形状であっても良いが、左右対称の略扇形状にすることが望ましい。該扇ぎ葉２２の中央は実施例１と略同形状の天広がり縦長の扇形で中室３にすることが望ましく。該中室３の下部略中央に円形の指穴４を設けている。先行技術で明記した特許文献１の特開平１１−３１８５３１号には円形の指穴４を有しておらず、指を引っ掛けて持つことは不可能な構造である。
【００２６】
中室３の一方の側に一方の畳み線５ａを介して一方の外室６ａを延設している。該中室３の他方の側に他方の畳み線５ｂを介して他方の外室６ｂを延設している。畳み線５の天地端どうしを繋ぐ外室６の縁を外縁７とし、該外縁７は略上部が湾出した角の丸い略くの字形状であることが望ましい。前記丸い角領域を差込縁１２とし、該差込縁１２を楽に差し込める長さの略直線で切溝１１を外室６の略上部に形成している。
【００２７】
図４は折畳み固定状態の要部透視正面斜視図である。左右双方の畳み線５を谷折することで双方の外室６は正面へ折り返され、該外室６の折り重ね順は限定ではないが、一方の外室６ａを背面にして他方の外室６ｂを正面にした重ね状態で図示することにする。
【００２８】
背面に重なった一方の外室６ａに有する切溝１１ａに、正面に重なった他方の外室６ｂの差込縁１２ｂを差し込むことで、本体２１の折畳み状態を固定する。
【実施例３】
【００２９】
図５は開き状態の正面図である。実施例３は中室切溝型とする。実施例３では略円形の扇ぎ葉３２にして、該扇ぎ葉３２の下部は上部と略同等に広くなった形状にしている。実施例１の扇ぎ葉２と実施例２の扇ぎ葉２２は上部が下部に比べて明らかに広くなっていたが、本実施例３の扇ぎ葉３２の下部は上部と略同等の広さにしたことによって外縁７の湾出ピークが下部に移行することになり、折畳み固定構造を変える必要が生じたので、以降で具体的に述べることにする。
【００３０】
略円形を含む円形の扇ぎ葉３２の中央に上広がりで縦長の扇形で中室３を設けており、該中室３の両側へ畳み線５を介して外室６を延設している。該中室３の下部を適宜に狭くすることで円周形状の該外室６の外縁７の下部領域が折畳み時に適宜に食み出す構造にすることが望ましい。
【００３１】
該中室３の下部に指穴４を設けており、該指穴４は円形で図示しているが、該指穴４の左右両側を横方向へ延長して畳み線５の線上まで達する形状にしても良い。
【００３２】
該中室３の中央より若干上部に位置する箇所に切溝１１を左右対称の対で設けることが望ましく、対で設けられた該切溝１１は略ハの字形であることが望ましい。
【００３３】
扇ぎ葉３２は円形であることから、畳み線５を介して外側に延設された外室６は縦長の半円形を成している。該畳み線５の上下端を結ぶ外室６の縁を外縁７とし、該外縁７の上部の一部は折畳み時に遠い方の切溝１１に差し込まれる差込縁１２となり、該外縁７の下部の大半は折畳み時に中室３から食み出る食み出し域１３となる。
【００３４】
図６は折畳み固定状態の要部透視正面斜視図である。畳み線５を介して折り返される外室６は縦長の半円形を成しており、外縁７の湾出ピークは該畳み線５の傾斜角度によって上下に移動する。該畳み線５が垂直ならば該外縁７の湾出ピークは中央の真横に位置し、該畳み線５の頂部が外側へ移動して傾斜するに連れて該外縁７の湾出ピークは下部へ移動する。該畳み線５の頂部が外側へ適宜に傾斜して中室３の下部が適宜に狭くなっている形状の方が、開き状態の扇ぎ葉３２の下部を指で挟み込んで持つ場合、中室３と外室６の双方を一緒に挟んで持つことができるので、該中室３の下部を適宜に狭くした形状にしている。
【００３５】
実施例３では折畳み時に外室６の下部が中室３から食み出す構造であるので畳み線５の双方を同じ方向へ折り返すことは少々難しい。該畳み線５の折り返し方向は限定ではなく、使用者が自由に変えることができるのであるが、具体的に説明するために、一方の畳み線５ａを谷折して一方の外室６ａを正面へ折り返し、他方の畳み線５ｂを山折して他方の外室６ｂを背面へ折り返して折り畳む構造にする。
【００３６】
正面に折り返された一方の外室６ａの一方の外縁７ａの略中央は他方の畳み線５ｂとの交差箇所であり、該交差箇所の上隣り領域を一方の差込縁１２ａとし、該一方の差込縁１２ａを他方の切溝１１ｂに差し込むことで一方の外室６ａの折り返された状態は固定されており、該交差箇所の下隣り領域で他方の畳み線５ｂから他方へ食み出している領域を一方の食み出し域１３ａとする。
【００３７】
背面に折り返された他方の外室６ｂの他方の外縁７ｂの略中央は一方の畳み線５ａとの交差箇所であり、該交差箇所の上隣り領域を他方の差込縁１２ｂとし、該他方の差込縁１２ｂを一方の切溝１１ａに差し込むことで他方の外室６ｂの折り返された状態は固定されており、該交差箇所の下隣り領域で一方の畳み線５ａから一方へ食み出している領域を他方の食み出し域１３ｂとする。
【００３８】
食み出し域１３は指の引っ掛け箇所としても利用できるので、該食み出し域１３を例えば右手の人差し指で引っ掛けて上隣り領域を親指で軽く押さえて外室６の上部面を少しだけ湾曲させて切溝１１へ差込縁１２を差込む。差し込まれた状態の該差込縁１２の状態から該食み出し域１３に例えば人差し指を引っ掛けて引くことで、該差込縁１２を抜き易くできる。
【産業上の利用可能性】
【００３９】
本発明は、広告媒体として使用することもできる。
【符号の説明】
【００４０】
１、２１、３１  本体
２、２２、３２  扇ぎ葉
３              中室
４              指穴
５ａ、５ｂ      畳み線
６ａ、６ｂ      外室
７ａ、７ｂ      外縁
８ａ、８ｂ      切込
９ａ、９ｂ      上外縁
１０ａ、１０ｂ  下外縁
１１            切溝
１２            差込縁
【図１】
2017200512.tif 000003
【図２】
2017200512.tif 000004
【図３】
2017200512.tif 000005
【図４】
2017200512.tif 000006
【図５】
2017200512.tif 000007
【図６】
2017200512.tif 000008
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
扇ぎ葉の中央を中室とし、該中室から一方の畳み線を介して一方の外室が延設されており、該中室から他方の畳み線を介して他方の外室が延設されており、各々の外室の外縁から切り込まれた切込を境にして、上部を上外縁とし、下部を下外縁とし、一方と他方のどちらかの上外縁を突出させ、一方と他方のどちらかの下外縁を前記突出させた上外縁と反対側の下外縁を突出させたことを特徴とする紙扇子折畳み固定構造。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
扇ぎ葉の中央を中室とし、該中室から一方の畳み線を介して一方の外室が延設されており、該中室から他方の畳み線を介して他方の外室が延設されており、各々の外室の外縁から切り込まれた切込を境にして、上部を上外縁とし、下部を下外縁とし、一方の上外縁と他方の上外縁のうちどちらかを突出させ、一方の上外縁と他方の上外縁のうちどちらかの下外縁であって前記突出させた上外縁と反対側の前記下外縁を突出させた一方の切込と他方の切込とが互いに組込まれた状態になって外室どうしの正面折り返し状態が固定されることを特徴とする紙扇子折畳み固定構造。